(57)【要約】記録キャリア識別情報は、非対称変調を使用して記憶される。これにより、再生装置６０の正規のデータパス６５を通したこの情報へのアクセスが防止される。非対称な情報は、再生装置で行われる固有のデータスライス及び復号化のため、再生装置により自動的に除去される。
2007506206.tif 000002
【特許請求の範囲】
【請求項１】
チャネルビットのグループが記録キャリアの識別情報を含む、トラックに記録されるチャネルビットのグループを含む記録キャリアであって、
前記記録キャリア識別情報は、非対称変調によりチャネルビットのグループに記憶される、
ことを特徴とする記録キャリア。
【請求項２】
前記非対称な変調はピット幅変調である、
ことを特徴とする請求項１記載の記録キャリア。
【請求項３】
前記非対称な変調はランニングデジタルサム変調である、
ことを特徴とする請求項１記載の記録キャリア。
【請求項４】
前記非対称な変調はチャネルビットフランク位置の変調である、
ことを特徴とする請求項１記載の記録キャリア。
【請求項５】
前記チャネルビットは、パリティ保存コードを使用して符号化される、
ことを特徴とする請求項１乃至４のいずれか記載の記録キャリア。
【請求項６】
前記記録キャリアの識別情報は、予め決定された位置に記憶される、
ことを特徴とする請求項１乃至５のいずれか記載の記録キャリア。
【請求項７】
当該記録キャリアには、前記予め決定された位置へのポインタが記憶される、
ことを特徴とする請求項６記載の記録キャリア。
【請求項８】
前記記録キャリアはＰＩＣバンドを含み、前記予め決定された位置のロケーションは前記ＰＩＣバンドに記憶される、
ことを特徴とする請求項７記載の記録キャリア。
【請求項９】
チャネルビットのグループが記録キャリアの識別情報を含む、トラックに記録されるチャネルビットのグループを含む記録キャリアに記録識別情報を記録する方法であって、
非対称な変調によるチャネルビットのグループおける記録キャリアの識別情報を変調するステップと、
前記記録キャリアに非対称な変調によるチャネルビットのグループを記憶するステップと、
を含むことを特徴とする方法。
【請求項１０】
非対称の変調によるチャネルビットのグループにおける記録キャリアの識別情報を変調する前記ステップは、チャネルビットのランニングデジタルサムを変調するステップを含む、
ことを特徴とする請求項９記載の記録キャリアの識別情報を記録する方法。
【請求項１１】
前記チャネルビットは、パリティ保存コードを使用して符号化される、
ことを特徴とする請求項９又は１０記載の記録キャリアの識別情報を記録する方法。
【請求項１２】
前記記録キャリアに非対称な変調によるチャネルビットのグループを記憶する前記ステップは、予め決定された位置に前記記録キャリアの識別情報を記憶するステップを含む、
請求項９又は１０記載の記録キャリアの識別情報を記録する方法。
【請求項１３】
当該方法は、前記記録キャリアの予め決定された位置にポインタを記憶するステップを含む、
ことを特徴とする請求項１２記載の記録キャリアの識別情報を記録する方法。
【請求項１４】
前記記録キャリアはＰＩＣバンドを含み、前記予め決定された位置のポインタは前記ＰＩＣバンドに記憶される、
ことを特徴とする請求項１３記載の記録キャリアの識別情報を記録する方法。
【請求項１５】
チャネルビットのグループが記録キャリアの識別情報を含む、トラックに記録されたチャネルビットのグループを含む記録キャリアから記録識別情報を検索する方法であって、
前記記録キャリアから非対称な変調によるチャネルビットのグループを検索するステップと、
非対称な変調によるチャネルビットの検索されたグループから記録キャリアの識別情報を復調するステップと、
を含むことを特徴とする方法。
【請求項１６】
非対称な変調によるチャネルビットのグループから記録キャリアの識別情報を復調する前記ステップは、前記チャネルビットのランニングデジタルサムを復調するステップを有する、
ことを特徴とする請求項１５記載の記録キャリアの識別情報を検索する方法。
【請求項１７】
前記記録キャリアから非対称な変調によるチャネルビットのグループを検索する前記ステップは、予め決定された位置から前記記録キャリアの識別情報を検索するステップを含む、
請求項１５又は１６記載の記録キャリアの識別情報を検索する方法。
【請求項１８】
当該方法は、前記記録キャリアから予め決定された位置へのポインタを検索するステップを含み、非対称な変調によるチャネルビットは、前記ポインタにより示される予め決定された位置から検索される、
ことを特徴とする請求項１７記載の記録キャリアの識別情報を検索する方法。
【請求項１９】
前記記録キャリアはＰＩＣバンドを含み、前記予め決定された位置のポインタは、前記ＰＩＣバンドから検索される、
ことを特徴とする請求項１８記載の記録キャリアの識別情報を検索する方法。
【請求項２０】
チャネルビットのグループが記録キャリアの識別情報を含む、記録キャリアのトラックに記録されるチャネルビットのグループを有する記録キャリアを記録キャリアが含む、記録キャリアに記憶された情報のコピーライト制御のための方法であって、
前記記録キャリアから非対称な変調によるチャネルビットのグループを検索するステップと、
非対称な変調によるチャネルビットの検索されたグループから前記記録キャリアの識別情報を復調するステップと、
前記記録キャリアのコピーライトステータスを確立するため、前記記録キャリアの識別情報を処理するステップと、
を含むことを特徴とする方法。
【請求項２１】
前記記録キャリアから非対称な変調によるチャネルビットのグループを検索する前記ステップは、予め決定された位置から前記記録キャリアの識別情報を検索するステップを含む、
ことを特徴とする請求項２０記載の記録キャリアの識別情報を検索する方法。
【請求項２２】
当該方法は、前記記録キャリアから予め決定された位置へのポインタを検索するステップを含み、非対称な変調による前記チャネルビットは、前記ポインタにより示される予め決定された位置から検索される、
ことを特徴とする請求項２１記載の記録キャリアの識別情報を検索する方法。
【請求項２３】
前記記録キャリアはＰＩＣバンドを含み、前記予め決定された位置のポインタは前記ＰＩＣバンドから検索される、
ことを特徴とする請求項２２記載の記録キャリアの識別情報を検索する方法。
【請求項２４】
アドレス指定手段とデータ検索手段を有する光ディスク用の再生装置であって、
前記再生装置は、前記アドレス指定手段により示されるアドレスから記録キャリアから検索されたチャネルビットのグループの非対称を復調することで、前記記録キャリアからの記録キャリア識別情報を検索するために構成されるＤＣ成分検索手段を更に有する、
ことを特徴とする再生装置。
【請求項２５】
前記再生装置は、前記記録キャリアの位置からのアドレスの記録キャリアのコピーライトステータスを確立するため、前記記録キャリアの識別情報を処理するために構成されるアドレス指定手段を検索するために構成されるコピーライト制御装置を更に有し、前記アドレス指定手段は、前記記録キャリアからロケーションへのポインタを検索し、前記ＤＣ成分検索手段へのロケーションを示すために構成される、
請求項２４記載の再生装置。
【請求項２６】
アドレス指定手段及びデータ記録手段を有する記録キャリア用の記録装置であって、
前記記録装置は、チャネルビットのグループの非対称を変調することで記録キャリアに記録キャリアの識別情報を記憶するために構成される非対称変調装置を更に有し、前記非対称変調装置は、前記アドレス指定手段により示される前記記録キャリアの位置に前記非対称変調装置により提供されるチャネルビットのグループを記録するために構成される前記データ記録手段に結合される、
ことを特徴とする記録装置。
【発明の詳細な説明】
【技術分野】
【０００１】
本発明は、チャネルビットのグループが記録キャリアの識別情報を有する、トラックに記録されたチャネルビットのグループを有する記録キャリア、チャネルビットのグループが記録キャリアの識別情報を有する、トラックに記録されたチャネルビットのグループを有する記録キャリアに記録識別情報を記録する方法、チャネルビットのグループが記録キャリアの識別情報を有する、トラックに記録されたチャネルビットのグループを有する記録キャリアから記録識別情報を検索する方法、チャネルビットのグループが記録キャリアの識別情報を有する、記録キャリアのトラックに記録されたチャネルビットのグループを記録キャリアが有する、記録キャリアに記憶された情報のコピーライト制御方法、アドレス指定手段及びデータ検索手段を有する光ディスク用の再生装置、及びアドレス指定手段及びデータ記録手段を有する記録キャリア用の記録装置に関する。
【背景技術】
【０００２】
かかる記録キャリアは、再生装置が記録キャリアを誰が製造したかを判定するのを可能にする製造者が記録キャリアにエントリを供給するＣＤ及びＤＶＤレコードキャリアの形式で知られている。
【０００３】
さらに、かかる記録キャリアは、コピーライトの警告が記録キャリアに記録される記録可能及び再書換え可能な記録キャリアから知られている。
【０００４】
さらに、かかる記録キャリアは、全ての欠陥が期待された位置にあるかを証明することで再生装置が記録キャリアを識別するのを可能にする、製造者が記録キャリアのマスタの欠陥のもたらすＰＣゲームから知られている。
【０００５】
これら記録キャリアの問題は、記録キャリア識別情報が記録キャリアへのアクセスをもつ誰かにとって容易に利用可能であることである。
【発明の開示】
【発明が解決しようとする課題】
【０００６】
本発明の目的は、記録キャリアへのアクセスをもつ誰かにとって容易に利用可能ではない識別情報をもつ記録キャリアを提供することである。
【課題を解決するための手段】
【０００７】
この目的を達成するため、記録キャリア識別情報が非対称な変調（asymmetry  modulation）でチャネルビットのグループに記憶される点で記録キャリアが特徴とされる。
【０００８】
チャネルビットのグループの非対称は再生装置を介して容易にアクセス可能ではないため、チャネルビットのグループの非対称で変調された記録キャリア識別情報は、誰かが記録キャリアへのアクセスを有する場合であっても隠され、アクセス不可能である。
【０００９】
再生装置は、非対称を除くデータ検索パスにおけるデータスライサを有し、これにより非対称情報へのアクセスを防止する。
【００１０】
更なる実施の形態は、非対称な変調がピット（ｐｉｔ）幅変調であることを特徴とする。
【００１１】
より広いピット幅は、より低いリフレクションを示し、ＤＣレベルを効果的に局所的に乱し、チャネルビットのグループの非対称を導入する。チャネルビットのＤＣレベルの１以上のこれらの乱れは、変調を介して、記録キャリアの識別情報を表すために使用することができる。
【００１２】
リフレクションの量に関する情報は、データが再生装置により処理される前にデータスライサにより除かれる。ＤＣコンテンツに関する情報へのアクセス、リフレクションの量へのアクセスは、再生装置における特別の構成なしに可能ではない。
【００１３】
更なる実施の形態は、非対称の変調はランニングデジタルサムの変調であることを特徴とする。
【００１４】
チャネルコードは、通常、できるだけゼロに近くなるようにコードワードのランニングデジタルサムを提供するように試みる。たとえば、ランニングデジタルサムにわたる制御は、リプレースメントコードを使用することで達成することができ、ここでコードワードのストリームにおける所与の瞬間で、コードワードは、これがランニングデジタルサムにとって有利である場合に低いランニングデジタルサムとなる、別の固有のコードワードで置き換えることができる。リプレースメントコードワードが高いランニングデジタルサムとなる場合、コードワードは、リプレースメントコードワードにより置き換えられる。記録キャリアに記録キャリア識別情報を記憶するため、このスキームは、高いランニングデジタルサムとなる場合にコードワードをリプレースメントコードワードで置き換えることで変更することができる。この期待されるスキームからの変動は、記録キャリア情報を変調するために使用され、コードワードが期待されるよりも高いＤＣコンテンツを局所的に示すので効果的に非対称な変調となる。
【００１５】
更なる実施の形態は、非対称な変調がチャネルビット遷移位置の変調であることを特徴とする。チャネルビットの遷移を再び位置合わせすることで、ＤＣコンテンツが変調され、非対称に達成される。その後のＰＬＬは、遷移を抽出されたクロックと再び揃えるので、ＤＣ近くの低周波成分がチャネルビットのＨＦストリームのスペクトルに導入される間にデータストリームが影響されない。
【００１６】
更なる実施の形態は、チャネルビットがパリティ保存コードを使用して符号化されることを特徴とする。
【００１７】
パリティ保存コードを使用することは、ＤＣ成分、したがってチャネルビットの非対称の非常にタイトな制御を可能にする。このタイトなチャネルビットの非対称からの変動は、非対称検出装置を有する再生装置により容易に検出することができる。
【００１８】
更なる実施の形態は、記録キャリア識別情報が予め決定された位置に記憶されることを特徴とする。
【００１９】
予め決定された位置に記録キャリア識別情報を記憶することで、再生装置は、その位置にチャネルビットの非対称を迅速に検索し、非対称な変調でチャネルビットのグループについて記録キャリアの一部又は全部をサーチする必要なしに記憶された記録キャリアの識別情報を判定することができる。
【００２０】
更なる実施の形態は、予め決定された位置へのポインタは、記録キャリアに記憶されることを特徴とする。
【００２１】
それぞれの記録キャリアの同じ位置に情報が記憶されるのを防止するため、ポインタは、すなわち良好にプロテクトされた形式で暗号化されるか、プロテクトされない形式で暗号化されて、それぞれの記録キャリアに記憶される。
【００２２】
記録キャリアがポインタを有するとき、再生装置は、各記録キャリアの記録キャリア識別情報を迅速に発見することができる。
【００２３】
更なる実施の形態は、記録キャリアがＰＩＣバンドを有し、予め決定された位置がＰＩＣバンドに記憶されることを特徴とする。ＰＩＣバンドは、ｂｌｕ−ｄｉｓｃ規格により定義されており、暗号化された形式又はプロテクトされていない形式でポインタを記憶するのに適している。
【００２４】
本発明に係る記録キャリアに記録識別情報を記録する方法は、非対称な変調でチャネルビットのグループにおける記録キャリアの識別情報を変調するステップ、記録キャリアに非対称な変調でチャネルビットのグループを記憶するステップを有している。
【００２５】
この方法を実行することで、再生装置の通常のデータパスを通して直接的な抽出が不可能であるように、記録キャリアに識別情報を配置することで記録キャリアの正確な複製を防止しつつ、プレーヤにより記録キャリアから記録キャリアの識別情報の検索を可能にする記録キャリアが形成される。
【００２６】
記録キャリアの識別情報を記録する方法の実施の形態は、非対称な変調でチャネルビットのグループにおける記録キャリアの識別情報を変調するステップは、チャネルビットのランニングデジタルサムを変調するステップを含んでいる。
【００２７】
ランニングデジタルサムに変調を挿入することで、記録キャリアの識別情報は、再生装置の通常のデータパスを通してではなく、再生装置の内部的にアクセス可能であるのみであって、正規のユーザによる識別情報の抽出を防止する。
【００２８】
ランニングデジタルサムにわたる制御は、たとえばリプレースメントコードワードを使用することで達成することができ、コードワードのストリームにおける所与の瞬間で、コードワードは、ランニングデジタルサムについて有利である場合に、より低いランニングデジタルサムとなる別の固有のコードワードにより置き換えることができる。リプレースメントコードワードは、より高いランニングデジタルサムとなる場合、コードワードは、リプレースメントコードワードにより置き換えられない。記録キャリアに記録キャリアの識別情報を記憶するため、このスキームは、より高いランニングデジタルサムとなる場合にコードワードをリプレースメントコードワードで置き換えることで変更することができる。この期待されるスキームからの変動は、記録キャリア情報を変調するために使用され、コードワードが期待されるよりも高いＤＣ成分を局所的に示すので効果的に非対称な変調である。
【００２９】
拡散スペクトル技術に従ってウォータマークが適用される。検出のために必要とされる鍵は、ディスクに符号化され、好ましくは暗号化された形式でディスクに符号化される。
【００３０】
別の代替は、たとえば正弦波、又は変調された正弦波（ＡＭ，ＦＭ，ＰＭ等）といったアナログ信号の形式でウォータマークの導入である。
【００３１】
チャネルビットの遷移変調を使用するとき、高速な閾値判定でＰＬＬとデータスライサを使用することで達成される検出の瞬間に関して遷移の位置を観察することで実行される。この実施の形態では、ウォータマークの帯域幅は高くすることができる。
【００３２】
記録キャリアの識別情報を記録する方法の更なる実施の形態は、チャネルビットがパリティ保存コードを使用して符号化されることを特徴とする。
【００３３】
パリティ保存コードを使用することで、ＤＣ成分したがってチャネルビットの非対称性の非常にタイトな制御が可能となる。このチャネルビットのタイトな非対称性からの変動は、非対称性検出装置を有する再生装置によりさらに容易に検出することができる。
【００３４】
記録キャリア識別情報を記録する方法の更なる実施の形態は、記録キャリアに非対称な変調でチャネルビットのグループを記憶するステップが予め決定された位置に記録キャリアの識別情報を記憶するステップを有することを特徴とする。
【００３５】
予め決定された位置に記録キャリア識別情報を記憶することで、再生装置は後に、その位置にチャネルビットの非対称性を迅速に検索し、非対称な変調でチャネルビットのグループについて一部又は全部の記録キャリアをサーチする必要なしに、記憶された記録キャリアの識別情報を判定するのを可能にする。
【００３６】
記録キャリアの識別情報を記録するための方法の更なる実施の形態は、本方法が記録キャリアに予め決定された位置にポインタを記憶するステップを有することを特徴とする。
【００３７】
それぞれの記録キャリアの同じ位置に情報が記憶されるのを防止するため、ポインタは、良好にプロテクトされた形式である暗号化されるか、プロテクトされていない形式のいずれかで、それぞれの記録キャリアに記憶される。
【００３８】
記録キャリアはポインタを有するとき、再生装置は、それぞれの記録キャリアの記録キャリア識別情報を迅速に発見することができる。
【００３９】
記録キャリアの識別情報を記録する方法の更なる実施の形態は、記録キャリアがＰＩＣバンドを有し、予め決定された位置のポインタがＰＩＣバンドに記憶されることを特徴とする。
【００４０】
ＰＩＣバンドは、ｂｌｕ−ｄｉｓｃ規格により定義され、暗号化又はプロテクトされていない形式でポインタを記憶するのに適している。
【００４１】
本発明に係る記録キャリアから記録識別情報を検索する方法は、記録キャリアからの非対称変調でチャネルビットのグループを検索するステップ、非対称な変調でチャネルビットの検索されたグループから記録キャリア識別情報を復調するステップを有する。
【００４２】
非対称な変調により、このために再生装置における準備がないので、通常のデータパスを通して記録キャリアの識別情報にユーザがアクセスするのを防止する。
【００４３】
再生装置で使用されるデータスライサのため、非対称の変調は、コードワードからデータが抽出される前に除かれる。
【００４４】
代替的に、非対称の変調がコードワードへの符号化の間に達成される場合、コードワードからのデータの検索の間に、非対称の変調の除去が実行される。
【００４５】
さらに、記録キャリア識別情報の容易な検索及び検証は、データスライサの前又はコードワードの符号化の前に位置される復調手段を提供することで再生装置において達成することができ、非対称変調手段には、信号がなお非対称変調を含む場合に記録キャリアから検索された信号が供給される。
【００４６】
記録キャリアの識別情報を検索する方法の実施の形態は、非対称変調によるチャネルビットのグループからの記録キャリア識別情報を復調するステップは、チャネルビットのランニングデジタルサムを復調するステップを含むことを特徴とする。
【００４７】
非対称変調の検索は、非対称な変調が符号化により達成されたときにデータスライサの後で達成することもできる。データスライサの後で、ＤＣコンテンツの制御用に使用されたリプレースメントコードワードがなお存在し、これらコードワードの復号化の間で、非対称の変調を使用して記憶された情報が利用可能になる。リプレースメントコードワードであるか、又はリプレースメントコードワードにより潜在的に置き換えられるコードワードのいずれかのコードワードに遭遇したとき、置き換えるべきか、置き換えないかといった実際の判定は、ＤＣ制御について、期待される最適な判定に比較することができる。最適な判定からの変動は、非対称な変調及び復調の基礎を達成することを形成する。
【００４８】
記録キャリア識別情報を検索する方法の更なる実施の形態は、記録キャリアからの非対称変調でチャネルビットのグループを検索するステップが予め決定された位置から記録キャリア識別情報を検索するステップを含んでいる。
【００４９】
記録キャリア識別情報のアドレスが既知であるので、検索の複雑さが低減され、記録キャリア識別情報の速度及び検索が増加する。
【００５０】
記録キャリア識別情報を検索する方法の更なる実施の形態は、本方法が記録キャリアから予め決定された位置にポインタを検索するステップを含むこと、非対称変調によるチャネルビットがポインタにより示される予め決定された位置から検索されることを特徴とする。
【００５１】
記録キャリアから記録キャリアに、プロダクションランからプロダクションランに、又は製造業者から製造業者に記録キャリア識別情報の位置を変えることができるため、ポインタを提供することができる。ポインタは、再生装置に正確な位置を伝えるか、又は、記録キャリア識別情報を発見することができる記録キャリア上の領域を伝える。記録キャリア識別情報のサーチは、同時に記録キャリアの作成の間にフレキシビリティを許容しつつ、時間及び複雑さの上で低減される。
【００５２】
記録キャリア識別情報を検索する方法の更なる実施の形態は、記録キャリアがＰＩＣバンドを有し、予め決定された位置のポインタがＰＩＣバンドから検索されることを特徴とする。
【００５３】
ＰＩＣバンドは、ｂｌｕ−ｄｉｓｃ規格により定義され、暗号化された形式又はプロテクトされていない形式でポインタを記憶するのに適している。
【００５４】
チャネルビットのグループが記録キャリア識別情報を有する、記憶キャリアのトラックに記録されたチャネルビットのグループを有する記録キャリアを記録キャリアが有する、記録キャリアに記憶された情報のコピーライト制御方法は、記録キャリアからの非対称な変調でチャネルビットのグループを検索するステップ、非対称な変調でチャネルビットの検索されたグループから記録キャリアの識別情報を復調するステップ、記録キャリアのコピーライトステータスを確立するため、記録キャリア識別情報を処理するステップを含んでいる。
【００５５】
非対称の変調により、非対称に変調されたデータにアクセスするために再生装置において準備がないため、通常のデータパスを通して記録キャリア識別情報にユーザがアクセスするのを防止する。
【００５６】
再生装置で使用されるデータスライサのため、コードワードからデータが抽出される前に非対称な変調が除かれる。
【００５７】
代替的に、非対称な変調がコードワードへの符号化の間に達成された場合、コードワードからのデータの検索の間に非対称な変調の除去が実行される。
【００５８】
さらに、記録キャリア識別情報の容易な検索及び検証は、データスライサの前又はコードワードの復号化の前に位置される復調手段を提供することで再生装置において達成することができ、非対称の復調手段には、信号がなお非対称変調を含む場合に記録キャリアから検索された信号が提供される。記録キャリア識別情報を検索した後、再生装置は、記録キャリアの材料のコピーライト状態を判定することができる。記録キャリアのマテリアルが複製される場合があることをコピーライトが示す場合、レコーダは、再生装置により提供されたときマテリアルを記録するのを許可されたことを記録装置に示すことで、たとえばマテリアルを解放する。
【００５９】
記録キャリアのマテリアル、又はその一部は複製されない場合があることをコピーライトが示す場合、再生装置は、記録装置からのマテリアルの要求を拒否するか、複製が違法であることを記録装置に示すことができる。違法な複製を防止するメカニズムは、再生装置又はレコーダのいずれかに位置することができる。
【００６０】
代替的に、記録キャリア識別情報は、違法な記録キャリアの再生を防止するために使用することができる。それら違法な記録キャリアは、記録キャリア識別情報が先に概説された複製の間に失われるため、適切な記録キャリア識別情報を有さない。再生装置は、適切な記録キャリア識別情報が失われているか又は誤っているときは何時でも記録キャリアのマテリアルへのアクセスを拒否する。
【００６１】
記録キャリアに記憶された情報のコピーライト制御の更なる実施の形態は、記録キャリアからの非対称な変調によりチャネルビットのグループを検索するステップは、予め決定された位置から記録キャリアの識別情報を検索するステップを含むことを特徴とする。予め決定された位置から記録キャリアの識別情報を検索することで、ランダムな位置からの検索に比較して検索が迅速になる。
【００６２】
記録キャリアに記憶された情報のコピーライト制御の方法の更なる実施の形態では、記録キャリアから予め決定された位置へのポインタを検索するステップを有すること、非対称の変調によるチャネルビットがポインタにより示される予め決定された位置から検索されることを特徴とする。
【００６３】
記録キャリア識別情報を検索する前にポインタをはじめに検索することで、記録キャリア識別情報の位置は、記録キャリアから記録キャリアに、プロダクションランからプロダクションランに、製造業者から製造業者に、レコーダからレコーダに変えることができる。これにより、コピーライト制御の容易な回避を防止する。
【００６４】
記録キャリアに記憶された情報のコピーライト制御の方法の更なる実施の形態は、記録キャリアがＰＩＣバンドを有し、予め決定された位置のポインタがＰＩＣバンドから検索されることを特徴とする。ＰＩＣバンドにおけるポインタを記憶することで、他のディスクに関連する情報と共に情報に容易にアクセスすることができる。
【００６５】
本発明に係るアドレス指定手段及びデータ検索手段を有する光ディスク用の再生装置は、再生装置が、アドレス指定手段により示されたアドレスから記録キャリアから検索されたチャネルビットのグループの非対称を復調することで、記録キャリアから記録キャリア識別情報を検索するために構成されるＤＣ成分検索手段をさらに有することを特徴とする。
【００６６】
再生装置の実施の形態は、再生装置が、記録キャリアのコピーライトステータスを確立するため記録キャリアの識別情報を処理するためにアドレス指定手段が構成され、記録キャリアの位置からアドレスを検索するために構成されるコピー制御装置を更に有しており、アドレス指定手段は、記録キャリアの位置へのポインタを検索し、ＤＣ成分検索手段への位置を示すために構成されている。
【００６７】
再生装置の更なる実施の形態は、記録装置が、チャネルビットのグループの非対称を変調することで、記録キャリアに記録キャリア識別情報を記憶するために構成される非対称変調装置を更に有し、非対称変調装置は、アドレス指定手段により示された記録キャリアの位置に非対称変調装置により供給されたチャネルビットのグループを記録するために構成されるデータ記録手段に結合される。
【発明を実施するための最良の形態】
【００６８】
本発明は、添付図面に基づいて説明される。  
説明は、局所的なＤＣ成分の乱れを使用するが、この乱れがより多くのチャネルビットのグループにわたり広がるより統計的なアプローチも実施可能である。
【００６９】
図１は、ピット幅変調を通したチャネルビットの非対称を示している。通常の変調されていないチャネルビット１のグループが示されている。ハイレベルは、記録キャリアにより光の反射（reflection）、すなわちランドを示し、ロウレベルは、低い反射、すなわちマークを示す。
【００７０】
さらに、ＤＣ成分の曲線２，４が示されている。信号のＤＣ成分は、様々なビットの寄与を統合することで決定される。通常の変調されていないチャネルビット１のグループは、例示のために、ランドとマークとの一連の短い交互を含んでいる。チャネルビットのグループのＤＣ成分への平均的な寄与は、ＤＣ成分の曲線２の対応するセクションにおける一定の値により示されるゼロである。より長いランド１ａがリフレクションの長い期間につながるとき、ＤＣ成分の曲線２は、正の寄与を提供することで第一のレベル２ａに増加する。その後、低い反射をもつ等しい長いマーク１ｂは、負の寄与を提供することで、ＤＣ成分の曲線２をゼロにバランスする。
【００７１】
ピットの幅が増加するとき、マークの反射は、先に説明された通常の状況に比較して更に減少する。
【００７２】
チャネルビット３の変調されたグループは、長いマーク３ｂの低い反射率により表される広いピットを含む。長いマーク３ｂは、長いランド３ａよりも多くの負の寄与を提供する。結果的に、ＤＣ成分の曲線が、通常の状況の第一のレベル２ａに等しい第一のレベル４ａに到達したとき、長いマーク３ａの負の寄与は、ＤＣ成分の曲線４をゼロに戻す代わりに、ＤＣ成分を負の値４ｂに到達させる。
【００７３】
信号の望まれる特性がＤＣ成分フリーである。ＤＣ成分は、その理由のため、ロウに保持され、チャネルビットのグループ、コードワード、又はコードワードのグループの終わりでＤＣ成分のゼロに戻る（a  return  to  zero）。
【００７４】
チャネルビットのグループの終わり４ｃでのゼロからの偏差は、異常な状況として検出することができ、概説されたＤＣ成分の変調がデータ又はマーカ若しくはウォータマークを表すのを可能にする。
【００７５】
図２は、符号化を通してチャネルビットの非対称を示している。  
通常の変調されていないチャネルビット２０のグループが示されている。ハイレベルは、記録キャリアによる光の反射、すなわちランドを示し、ロウレベルは、低い反射、すなわちマークを示している。
【００７６】
通常の変調されていないチャネルビット２０のグループは、例示の目的のため、一連のランドとマークの短い交互を含んでいる。チャネルビットのグループのＤＣ成分への平均的な寄与は、ＤＣ成分の曲線２１の対応するセクションにおける一定の値により示されるゼロである。長いランド２０ａがリフレクションの長い期間につながるとき、ＤＣ成分の曲線２１は正の寄与を提供することで第一のレベル２１ａに増加する。その後、低い反射率をもつ同じ長さのマーク２０ｂは、負の寄与を提供することでＤＣ成分の曲線２１をゼロ２１ｂにバランスし、したがってＤＣ成分を減少する。
【００７７】
チャネルビットのグループに非対称性を導入するために符号化が使用されるとき、異なるビットのパターンは、先に記載された通常の状態に比較して生成される。
【００７８】
チャネルビット２２の変調されたグループは、対応する長い期間のマーク２０ｂと比較したとき、より短い期間のマーク２２ｂにより表され、対応する短いランド２０ｃに比較したとき、長い期間のランド２２により表される異なるビットのパターンを含む。
【００７９】
より短いマーク２２ｂは、長いランド２０ｂよりも短い負の寄与を提供する。結果的に、ＤＣ成分の曲線２３が、通常の状況の第一のレベル２１ａに等しい第一のレベル２３ａに到達したとき、長いマーク２２ｂの負の寄与により、ＤＣ成分の曲線２３をゼロに戻す代わりに、ＤＣ成分を正の値２３ｂに減少させる。
【００８０】
その後、長いランド２２は、ＤＣ成分に正の寄与を提供し、ＤＣ成分の曲線２３のより多くの正の終わりの値２３ｄを生じる。望まれる信号の特性は、ＤＣ成分がないことである。ＤＣ成分は、その理由のため低く保持され、チャネルビット、コードワード、又はコードワードのグループの終わりでＤＣ成分のゼロに戻る（return  to  zero）。
【００８１】
チャネルビットのグループの終わり２３ｄでのゼロからの変動は、異常な状況として検出することができ、概説されたＤＣコンテンツの変調がデータ又はマーカ若しくはウォータマークを表すのを可能にする。
【００８２】
図３は、遷移の変調を通してチャネルビットの非対称を示している。チャネルビットの遷移を変調するときの状況は、図２で説明される状況に類似している。ランドとマークの期間の変更は対称性を乱し、チャネルビットの終わりでノンゼロのＤＣ成分を生じる。図３では、図２におけるのとは異なる符号化を適用することで達成されないが、遷移それ自身をシフトする結果である。データを検索可能にするため、遷移のシフトが制限される。これは、クロックリカバリ後のその後の検出が遷移のシフトが行われない状況に比較して検索されている同じデータとなるためである。
【００８３】
通常の変調されていないチャネルビット３０のグループが示されている。再び、ハイレベルは、記録キャリアによる光の反射、すなわちランドを示し、ロウレベルは、低い反射、すなわちマークを示している。
【００８４】
通常の変調されていないチャネルビット３０のグループは、例示のために、一連のランドとマークとの短い交互を有している。チャネルビットのグループのＤＣ成分への平均的な寄与は、ＤＣ成分の曲線３１の対応するセクションにおける一定の値により示されるゼロである。長いランド３０ａが反射の長い期間をもたらすとき、ＤＣ成分の曲線３１は、正の寄与を提供することで第一のレベル３１ｂに増加する。その後、低い反射率をもつ等しく長いマーク３０ｂは、負の寄与を提供することでＤＣ成分の曲線３をゼロ３１ｃにバランスする。
【００８５】
チャネルビットのグループに非対称性を導入するために遷移のシフトが使用されるとき、ランド及びマークの幅が変化される。ランドとマークとの間の１つの遷移を移動することは、全体の長さを変えることではなく、マークをランド比に変える。
【００８６】
チャネルビット３２の変調されたグループは、かかるシフトされた遷移を含む。拡張されたランド３２ａは、より長い時間について正の寄与をＤＣ成分に提供し、通常の状況で到達されるレベル３１ｂに比較したとき、より高いレベル３３ａとなる。その後の低減されたマーク３２ｂは、ＤＣ成分３３チャネルビットのグループの終わり３３ｃでもはやゼロに戻らない結果により、短い時間について負の寄与を提供する。
【００８７】
望まれる信号特性は、ＤＣ成分のないことである。ＤＣ成分は、その理由のためロウに保持され、チャネルビットのグループ、コードワード又はコードワードのグループの終わりでＤＣ成分のゼロに戻る（return  to  zero）。
【００８８】
チャネルビットのグループの終わり２３ｄでゼロからの偏差は、したがって異常な状況として検出され、概説されたＤＣ成分の変調がデータ又はマーカ若しくはウォータマークを表すのを可能にする。
【００８９】
ディスクの特定の位置で、チャネルビットのグループの非対称が変調される。この手段は、コピー不可能な（non-copy-able）ウォータマークをディスクに生成する。再生で、この非対称性は、ＤＣ成分から回復される。ウォータマークの成分及び位置が正しくない場合、プレーヤは、ディスクを再生するのを拒否する。
【００９０】
仮想的な全てのディスクコピー方法はチャネルビットのタイミングを回復するので、ウォータマークはディスクのクローニングの後に消える。タイミング回復なしでの完全なアナログコピーは、ウォータマークを保持するが、これはコピー上のタイミングジッタの増加につながる。これは、ジッタの増加されたレベルを通知することでコピーとして、コピー再生可能にするか、又は少なくとも識別可能にする。
【００９１】
図４は、非対称に関するデータスライスの作用を示している。  
スライサの作用は、より広いピットによる低い反射を含むチャネルビットのグループを使用して説明される。
【００９２】
チャネルビット４０のグループは、長いランド４０ａ及び長いマーク４０ｂを含んでいる。
【００９３】
他のランド及びマークの長さは、例示のために短く保持されており、実際に存在するか又は可能なチャネルビットのグループを必ずしも反映するものではない。本発明の説明のため、ランドとマークからそれらを離して設定するため異なるサイズが与えられている。
【００９４】
このチャネルビットのグループは、適切な検出閾値４７を確立するため、コンパレータ４２ａ及び装置４２ｂを有する、従来のデータスライサ４２に入力４４を介して供給される。
【００９５】
装置４２ｂは、適切な閾値４７をコンパレータ４２ａに供給し、マーク４０ｂの低い方のレベルのような振幅の変動を除去しつつ、コンパレータ４２ａがチャネルビット４０のグループの全てのタイミング情報を含む出力信号４１を供給するのを可能にする。長いランド４１ａ及び長いマーク４１ｂの期間は、チャネルビットの長いランド４０ａ及び長いマーク４０ｂに等しい。データスライサは、出力４５でのチャネルビットを表すが、他のマークのレベルに等しい長いマーク４１ｂのレベルをもつ出力信号４１を提供する。
【００９６】
結果的に、チャネルビット４０における変調により記憶される情報は、出力信号４１において失われる。
【００９７】
データスライサ４２にチャネルビット４０を提供するのに加えて、チャネルビット４０は、たとえば積分器の構成で実現される、ＤＣ成分装置４３に供給される。次いで、ＤＣ成分装置４３は、出力４６での決定されたＤＣ成分を供給する。そのように提供されたＤＣ成分は、期待されるＤＣ成分から変動する。これは、データスライサからの出力信号４１がＤＣ成分の曲線４８により例示されるようにＤＣフリーであるため容易に決定することができる。
【００９８】
データスライサの前後のＤＣ成分の間のシンプルな比較により差が見つかり、記録キャリアの識別情報の検出及び復調を可能にする。
【００９９】
なお、図４は、反射の変化がＤＣ成分を乱すために使用されるケースを例示している。遷移のシフト又は符号化の使用のようなタイミングのバリエーションのケースでは、データスライサは、記録キャリア識別情報を除かないが、リプレースメントコードワードがオリジナルのコードワードで置き換えられる復号化ステップ、又はクロックリカバリ、及びその後のサンプリングは、ＤＣ成分の乱れを除く。
【０１００】
遷移のシフトのケースでは、チャネルビットからのクロックリカバリ用に使用される位相ロックループ（ＰＬＬ）は、遷移のシフトをＰＬＬの位相コンパレータでエラー信号として見せるので、復調を提供することができる。
【０１０１】
ディスクの特定の位置で、チャネルビットのグループの非対称が変調される。この手段は、コピー不可能なウォータマークをディスクに生成する。再生で、この非対称性を回復することができる。ウォータマークの成分及び位置が正しくない場合、プレーヤはディスクを再生するのを拒否する。
【０１０２】
仮想的な全てのディスクコピー方法は、チャネルビットのタイミングを回復するので、ウォータマークはディスクのクローニングの後に消える。タイミングの回復なしで完全なアナログコピーのみがウォータマークを保持するが、コピータイミングのジッタの増加につながる。これはコピーを再生不可能にする場合がある。
【０１０３】
図５は、非対称性をもつ記録キャリアを示している。Ｂｌｕｅ−Ｄｉｓｃ−ＲＯＭディスク５０では、チャネルビット５２のグループの非対称性は、ウォータマークビットのグループにより変調される。非対称性をもつチャネルビット５２のグループの位置及びウォータマークのグループを示す値は、たとえばＰＩＣバンド５１における予め定義された位置で記憶される。
【０１０４】
チャネルビット５２の１以上のグループの位置のストレージにより、良好なセキュリティを提供しつつ、チャネルビット５２のグループの迅速なアクセス及び検索を可能にする。これは、情報が利用不可能なとき、暗号化の使用のため、時間のかかる記録キャリアの完全なサーチが必要とされるためである。
【０１０５】
図６は、非対称検出器を有する再生装置を示している。  
再生装置６０は、記録キャリア６１からデータを検索する。
【０１０６】
図５に説明されるように、記録キャリアの識別情報が何処に位置されるかに関する情報は、ＰＩＣバンドからｂｌｕｅ−ｄｉｓｃのケースで、記録キャリアに特定のエリアからはじめに検索される。
【０１０７】
非対称の変調を含むチャネルビットのグループはひとたび検索されると、図６のブロック図が有効となる。ＰＩＣバンドからのアドレスの検索は、通常のプレーヤの機能であって、説明する必要がない。さらに、適用される場合、ＰＩＣバンドにおける鍵及びアドレス指定情報の復号は、プロセッサ装置６６で達成される。
【０１０８】
記録キャリアからの記録キャリア識別情報を検索するため、プレーヤ６０は、プロセッサ装置６６によりベーシックエンジン６２に供給されるアドレスからチャネルビットを検索するベーシックエンジン６２を含む。検索されるチャネルビットは、データスライサ６３及びＤＣ成分判定装置６４に供給される。データスライサ６３は、データスライスの副作用として、更なる復号化のやめのデータパスにチャネルビットを供給する前にチャネルビットからの非対称を効果的に除く。さらに、更なるＤＣ成分判定装置６７は、データスライサ６３の後にチャネルビットのＤＣ成分を判定する。この更なるＤＣ成分判定装置６７は、たとえば符号化によりチャネルビットに配置されるタイプの制約のために、チャネルビットのＤＣ成分が事前に既知である場合には必要とされない。次いで、プロセッサは、期待される位置で、期待されるデータが検索されるチャネルビットのＤＣ成分で検出されるようなチャネルビットの非対称を使用して変調されたかに関するＤＣ成分判定装置６４の出力に基づいて復調する。
【０１０９】
その後、プロセッサは、データパス６５におけるチャネルビットの更なる復号化を阻止又は可能にするか、又は代替的に、マテリアルがコピーライトされていること、又は他の装置により記録されていない場合があることを外部装置に示す。
【０１１０】
記録キャリアがひとたび識別されると、既知のコピーライト制御システムを使用することができる。
【０１１１】
データスライサ６３はデータパス６５による処理にチャネルビットを供給する前に記録キャリア識別情報を除くため、ユーザは、記録キャリア識別情報へのアクセスを有さない。データスライサ６３、ＤＣ成分判定装置６４及び６７、及びプロセッサ６６は、ユーザによるアクセスを防止して、１つの装置に統合することができる。鍵の復号、チャネルビットのグループの位置及びチャネルビットのグループの実際の内容は、アクセスから良好にプロテクトされる。
【０１１２】
ウォータマークは、特に、データスペクトルの低周波領域に現れ、検出レベルを観察することで回復することができるか、シンプルなロウパス又はバンドパスフィルタで再生信号をフィルタリングすることで回復することができる。保証された１７ＰＰ  ＤＣ抑圧のため、本発明はＢＤに特に適している。ウォータマーク検出ＳＮＲは、低周波コードのスペクトルを制限するため、符号化によりチャネルビットのＤＣ成分を最小にするための方法を適用することで更に拡張することができる。後者の方法は、非対称な変調の振幅を低減するために有効である。
【０１１３】
ディスクからディスクにウォータマークの位置及び内容を変えることで、本方法のセキュリティが拡張される。Ｂｌｕディスクドライブの信号処理では、ＣＡ信号及びＰＰ信号から鍵及びウォータマークが検出される。積分器の出力（検出閾値）は、ＨＦ信号に非対称な平均値に従う。これは公知の原理であって、ＣＤプレーヤで既に適用されている。これは、チャネルコードのＤＣ抑圧特性のために機能する。
【０１１４】
本実施の形態では、ウォータマークの帯域幅は閾値制御ループの帯域幅にあることが想定される。したがって、非対称の変調を補正するため、スライサはその閾値を調節しないので、ウォータマークはジッタを増加しない。
【０１１５】
スライサの制御帯域幅を超えて、非対称の変調は、閾値検出器の出力になお存在し、ジッタが増加する。  
再生の前に、プレーヤは、特定の位置でウォータマークの内容をチェックする。ウォータマークの内容及び位置は、たとえばＰＩＣ帯域（Ｂｌｕ  Ｄｉｓｃ規格）におけるディスクの特定の位置に符号化される。
【０１１６】
図７は、ウォータマークとして非対称を使用してコピーライト制御システムを示している。  
レコーダ７０は、その機能の一部としてデータをチャネルビットに符号化するデータパス７５を含む。次いで、データパスは、チャネルビットを変調器７３に供給する。
【０１１７】
図１、図２及び図３に記載されるように、変調は幾つかの形式を取ることができる。  
チャネルビットの遷移のシフト。広い方のピットを低い方の反射に記録されるべき所定のマークに割り当て。ＤＣ成分を制御するためにデータストリームに通常生じないコードワードでコードワードを置き換えることによる、符号化後のリプレースメントコードワードの使用。
【０１１８】
したがって、変調器７３は、遷移変調器、コードワードリプレーサ、又はレーザビームパワーモジュレータとして実現される。  
プロセッサ７６は、データパス７５から情報を受け、チャネルビットにおける非対称変調の挿入を制御する。プロセッサ７６は、チャネルビットが記憶される位置を更に制御し、ベーシックエンジン７２にそのようにすることを指示する。
【０１１９】
このように処理されたチャネルビットは、記録キャリア６１に記録するためにベーシックエンジンに供給される。  
変調器７３がレーザビーム変調器であるケースで、ベーシックエンジンは、チャネルビットを記録するために使用するビームのレーザパワーを変化可能である必要があることは明らかである。他の２つの変調器の実施の形態のケースでは、正規のベーシックエンジンで十分である。
【０１２０】
レコーダは、さらに、ＰＩＣビットのような記録キャリアの特定のエリアにおける非対称な変調でチャネルビットの位置を記録する。  
レコーダの通常のコンフィギュレーションは、記録のこの部分について適しており、説明する必要がない。同じことが、規則的なやり方でプロセッサ７６により処理されるため、鍵の暗号化にも当てはまる。
【０１２１】
本発明は、プロフェッショナルレーザビームレコーダに制限されず、セキュリティの目的でＣＤ−ＲＷ、ＤＶＤ−ＲＷ、ＢＤ−ＲＥのような記録可能なディスクドライブにも適用される。
【図面の簡単な説明】
【０１２２】
【図１】ピット（ｐｉｔ）幅変調を通したチャネルビットの非対称を示す図である。
【図２】符号化を通したチャネルビットの非対称を示す図である。
【図３】遷移変調を通したチャネルビットの非対称を示す図である。
【図４】非対称に関するデータスライサの作用を示す図である。
【図５】非対称をもつ記録キャリアを示す図である。
【図６】非対称検出器を有する再生装置を示す図である。
【図７】ウォータマークとして非対称を使用したコピーライト制御システムを示す図である。
【図１】
2007506206.tif 000003
【図２】
2007506206.tif 000004
【図３】
2007506206.tif 000005
【図４】
2007506206.tif 000006
【図５】
2007506206.tif 000007
【図６】
2007506206.tif 000008
【図７】
2007506206.tif 000009
【国際調査報告】
2007506206.tif 000010
2007506206.tif 000011
2007506206.tif 000012
2007506206.tif 000013